(57)【要約】【課題】本発明は、マンゴーの栽培容器を冷却すること及び雰囲気温度を下げることによって、マンゴー生産者の意のままに花芽分化を行い、４月から７月の通常収穫期以外でもマンゴーを収穫できるマンゴーの栽培方法を、また、果実肥大期における加温によってマンゴーの生産性を高める栽培容器を提供するものである。【解決手段】マンゴーを植え付ける栽培容器において、該容器の全部又は一部が良熱伝導性を有し、かつ、ペルチェモジュールを着装していることを特徴とするマンゴーの栽培容器、また、前記栽培容器に植えられたマンゴーの木が花芽分化を迎えた時期に、前記栽培容器に植え付けられたマンゴーの木をフイルムで覆い、前記フイルム内の雰囲気温度と前記栽培容器の温度とを夫々５℃から１５℃に冷却することにより花芽分化させることを特徴とするマンゴーの栽培方法。【選択図】図１
2011244784.tif 000002
【特許請求の範囲】
【請求項１】
マンゴーを植え付ける栽培容器において、該容器の全部又は一部が良熱伝導性を有し、かつ、ペルチェモジュールを着装していることを特徴とするマンゴーの栽培容器。
【請求項２】
前記栽培容器の外面に断熱材が被覆されていることを特徴とする請求項１に記載のマンゴーの栽培容器。
【請求項３】
前記良熱伝導性を有する材料が、銅、アルミ、真鍮、鉄鋼のいずれかの金属又は炭素材であることを特徴とする請求項１又は２に記載のマンゴーの栽培容器。
【請求項４】
前記栽培容器が、少なくとも底部又は側部のどちらかに透水孔を有していることを特徴とする請求項１から３のいずれかに記載のマンゴーの栽培容器。
【請求項５】
ハウス栽培において、栽培容器に植えられたマンゴーの木が花芽分化を迎えた時期に、請求項１から４のいずれかに記載のマンゴーの栽培容器の温度とハウス内の雰囲気温度とを夫々５℃から１５℃に冷却して花芽分化させることを特徴とするマンゴーの栽培方法。
【請求項６】
栽培容器に植えられたマンゴーの木が花芽分化を迎えた時期に、請求項１から４のいずれかに記載の栽培容器に植え付けられたマンゴーの木をフイルムで覆い、かつ、前記フイルム内の雰囲気温度と前記栽培容器の温度とを夫々５℃から１５℃に冷却することにより花芽分化させることを特徴とするマンゴーの栽培方法。
【請求項７】
ハウス栽培において、請求項１から４のいずれかに記載のマンゴーの栽培容器の温度とハウス内の雰囲気温度とを夫々２０℃から３０℃に加温することによりマンゴーの実を果実肥大させることを特徴とするマンゴーの栽培方法。
【請求項８】
請求項１から４のいずれかに記載の栽培容器に植え付けられたマンゴーの木をフイルムで覆い、かつ、前記フイルム内の雰囲気温度と前記栽培容器の温度とを夫々２０℃から３０℃に加温することによりマンゴーの実を果実肥大させることを特徴とするマンゴーの栽培方法。
【請求項９】
栽培容器に植えられたマンゴーの木が花芽分化を迎えた時期に、請求項１から４のいずれかに記載の栽培容器に植え付けられたマンゴーの木をフイルムで覆い、かつ、前記フイルム内の雰囲気温度と前記栽培容器の温度とを夫々５℃から１５℃に冷却することにより花芽分化させ、かつ、該冷却によって発生する暖排気を他のマンゴー木の果実肥大に利用することを特徴とするマンゴーの栽培方法。
【発明の詳細な説明】
【技術分野】
【０００１】
本発明は、ハウス栽培されているマンゴーの木を栽培容器ごと冷却して花芽分化をさせて花を咲かせ、その後、栽培容器ごと温めてマンゴーの実を肥大させて、季節に関係なくマンゴーを自在に結実させるマンゴーの栽培容器に関するものである。
【背景技術】
【０００２】
近年、マンゴーは、非常に強い甘みと香りを有する果実として需要者の間で人気があり、また、生産者の側からすると高価格で販売することができる果実として注目されている。そこで、マンゴーを生産する農家は、より高品質で多くの収穫が効率よく得られること及び国産のマンゴーが収穫されない時期に収穫できることを望んでいる。  
【０００３】
マンゴーの木は、直根が１０ｍにも達することがあり、通常、剪定等を行なわなければ、樹高２０ｍ以上にも育つ大木である。マンゴーの木は高温で適度な土壌水分があると、年に２〜３回の新梢の発生を繰り返して大木となる。マンゴーの木は、冬季の最低気温が５℃以下になると枯死してしまうため、日本においては、ビニルハウスなどのハウス栽培をすることが通常である。ハウスの棟高は、一般的には３．５ｍ〜４．０ｍであるため、ハウスを壊さずに栽培するために、マンゴーの木を数回剪定する必要がある。また、３５℃以上の高温になると、マンゴーの木は高温障害が出るので温度調整をする必要がある。
【０００４】
マンゴーは、ウルシ科の植物であり、マンゴーの花は、房状の花序であって枝の先端部に着く。この花序の中に両性花と雄花があり、両性花が受粉して結実する。両性花の割合が１０％以下になると結実数が減少するといわれている。マンゴーでは、開花した花の８〜１３％が結実するが、ほとんどの果実は１週間以内に落果し、収穫まで至るのは１％以下といわれている。また、マンゴーの木は、元々乾燥に強い植物であるが、開花期以降の土壌乾燥は、落果や生育不良の原因になるので、灌水をまめに行う必要がある。
【０００５】
マンゴーは、完熟生産により６月から７月に収穫するのが最も一般的な栽培方法である。通常、この場合、マンゴーを収穫した後、マンゴの木が大木とならないようにするため枝を剪定し、気温を２０℃〜３０℃に調整して新梢の発生を２回行なわせ、樹勢の回復及び養分蓄積をおこなう。但し、３回目の新梢の発生をさせると養分蓄積がおこなわれず、先端に花がつかなくなり、果実の生産ができなくなる。その後１１月頃、気温が１５℃を下回ると花芽分化が始まる。１月頃、出蕾し始めるとハウスの気温を２０℃〜２５℃にし、２月頃の開花期から果実肥大期にかけてハウスの温度を２５℃〜３０℃にする。気温が高いほど果実肥大が促進され、さらに果皮色もよくなる。また、マンゴーの葯の裂開には、２０℃以上が必要であり、花粉管は２５℃〜３０℃でよく成長する。逆に、花粉は１５℃以下の低温と３５℃以上の高温では発芽が阻害され、１０℃以下の低温に遭遇すると奇形になりやすくなり結実量が少なくなる。したがって、３０℃までの高温に到らない地方では、ハウス栽培を用いるのが通常である。
【０００６】
マンゴーは、冬期に気温が１５℃を下回ると花芽分化が始まり、花が咲くようになるため、その結果、通常、４月から７月に収穫される。したがって、日本においては、冬季、特にクリスマスの時期に収穫されるマンゴはなかった。クリスマスの時期に日本において市場を流通しているマンゴは、日本とは季節が逆になる南半球産の輸入マンゴである。しかし、輸入マンゴは、長時間の輸送・保存ができるように早期収穫されるため、マンゴー本来の甘みが出ていない。そのうえ、検疫処理や低温保存されるので、味や風味はさらに損なわれている。そこで、国内でマンゴーの冬季収穫ができれば、元来高級果物であるマンゴーは、さらに付加価値をつけて販売することが可能となる。これに関連する先行発明として、加温に使用する化石燃料を削減するとともに、１０月から１月上旬まで連続収穫、出荷が可能な発明が、先行文献として開示されている〔参考文献１〕。
【先行技術文献】
【特許文献】
【０００７】
【特許文献１】特開２００９−２０７４８９公報（〔０００１〜００２１〕、〔図１〕）
【発明の概要】
【発明が解決しようとする課題】
【０００８】
前記先行技術であるマンゴーの加温施設による栽培方法は、休眠期を設けて加温施設の化石燃料の使用量を削減することと１０月から１月上旬の連続収穫及び出荷できることが記載されているが、気温が１５℃以上になる暑い季節に花芽分化をさせる方法については開示されず、未だ具体的に解決されていない。
【０００９】
本発明は、これらの問題を解決したものであって、マンゴーの栽培容器を冷却すること及び雰囲気温度を下げることによって、マンゴー生産者の意のままに花芽分化を行い、４月から７月の通常収穫期以外である、例えば、クリスマスシーズンにもマンゴーを収穫できるマンゴーの栽培方法を提供する。また、果実肥大期における加温によってマンゴーの生産性を高める栽培容器を提供するものである。
【課題を解決するための手段】
【００１０】
上記の目的を達成するために、本発明の請求項１に係るマンゴーの栽培容器は、マンゴーを植え付ける栽培容器において、該容器の全部又は一部が良熱伝導性を有し、かつ、ペルチェモジュールを着装していることを特徴とする。
【００１１】
この構成を採用することにより、ペルチェモジュールによる冷却又は加温作用が、ペルチェモジュールを装着している良熱伝導性を有する栽培容器に伝達して、栽培容器を冷却又は加温して、さらに、その熱を栽培容器内の土壌に伝えて、栽培容器内の土壌を冷却又は加温することができる。ここで、ペルチェモジュールとは、Ｎ型、Ｐ型、Ｎ型半導体を直列に接続して、ユニットにしたものである。直流電流をＮ型半導体からＰ型半導体に流すと、その接点で吸熱（冷却）し、逆にＰ型半導体からＮ型半導体に直流電流を流すと発熱（加温）するものである。したがって、本発明に係る栽培容器は、ペルチェモジュールに流す直流電流の向きによって、該栽培容器と容器内の土壌を冷却又は加温することができる。なお、良熱伝導性を有する材料を用いて栽培容器をすべて作成してもよいが、土壌に熱を伝えることができれば、栽培容器の一部に良熱伝導性を有する材料を使用してもよい。
【００１２】
本栽培容器によれば、新梢発芽・充実を２回行い養分が備蓄されたマンゴーの木は、葉、根や幹で温度を感じ、気温が５℃から１５℃になると花芽分化を開始するのである。したがって、ペルチェモジュールの冷却効果で、本栽培容器を冷却することによって、該栽培容器の温度が５℃から１５℃になるようにすることができるので、ビニルハウスにおけるハウス栽培において、ハウス内の気温も５℃から１５℃になるようにすれば、養分が備蓄され花芽分化の準備ができているマンゴーの木は、葉、根や幹だけでなく、根からも温度変化を感じさせることができるので、季節にかかわらず花芽分化を開始させることができ、さらに、結実させることが可能となる。また、新梢発生期や果実肥大期には、ペルチェモジュールの直流電流を逆方向に流して本栽培容器を加温させて土壌温度を２０℃〜３０℃にすることによりマンゴーの木を根から温めることができるので、マンゴーの木を樹勢回復させることができ、また、マンゴーの実を大きくすることができる。これらのことにより、国内においてマンゴーがあまり出回らない季節にマンゴーを生産でき、より高値で販売することが可能となる。また、マンゴーの木を植え付ける前にあらかじめ加熱することにより栽培容器内の土壌中の病害虫の駆除も可能である。
【００１３】
本発明の請求項２に係るマンゴーの栽培容器は、前記栽培容器の外面に断熱材が被覆されていることを特徴とする。
【００１４】
この構成を採用することにより、ペルチェモジュールの冷却及び加温効果が、無駄なくより早く栽培容器内の土壌に伝達されることになり、容器外への熱エネルギーのロスを少なくすることができる。このことによって、消費電力の無駄を少なくすることができる。
【００１５】
本発明の請求項３に係るマンゴーの栽培容器は、前記良熱伝導性を有する材料が、銅、アルミ、真鍮、鉄鋼のいずれかの金属又は炭素材であることを特徴とする。
【００１６】
この構成を採用することにより、銅、アルミ、真鍮、鉄鋼は熱伝導がよく、ペルチェモジュールの冷却及び加温効果が無駄なくより早く栽培容器内に伝達されることになり、熱エネルギーのロスを少なくすることができる。このことによって、消費電力を抑えることができる。また、熱伝導の良い黒鉛などを栽培容器の材料に用いるのもよい。
【００１７】
本発明の請求項４に係るマンゴーの栽培容器は、前記栽培容器が、少なくとも底部又は側部のどちらかに透水孔を有していることを特徴とする。
【００１８】
この構成を採用することにより、本栽培容器は、透水孔を有するため、根から吸収されなかった余剰水を栽培容器の外部に排水することができ、マンゴーの木の根腐れを防ぐことも可能となる。また、透水孔を有するため、例えば、ハウス内の土壌に栽培容器を設置した場合には、栽培容器外の土中水やその土中水に溶け込んでいる養分も栽培容器内に浸透してくるので、マンゴーの木の成長が早くなる。さらに、マンゴーの木の直根及び細根が栽培容器内に留まっているため、水遣りの際、その栽培容器内だけ水遣りを行なえばよく、根の張っていない容器外に水遣りをする必要がなく大変効率が良い。よって、水遣り量に対する水分の無駄が少なく、水遣りの際の水量の管理が行い易くなる。
【００１９】
本発明の請求項５に係るマンゴーの栽培方法は、ハウス栽培において、栽培容器に植えられたマンゴーの木が花芽分化を迎えた時期に、請求項１から３に記載のマンゴーの栽培容器の温度とハウス内の雰囲気温度とを夫々５℃から１５℃に冷却して花芽分化させることを特徴とする。
【００２０】
この方法によれば、ハウス内の気温と栽培容器の温度とを夫々５℃〜１５℃に冷却することにより、新梢発芽を２回行い花芽分化ができる状態にあるマンゴーの木は、葉、枝及び幹だけでなく、容器内の根からも花芽分化の時期を感じ取ることができ、より確実に花芽分化を行うことができる。このことによって、マンゴーの木は、季節に関係なく、花芽分化を行うことができ、マンゴーを結実、収穫することができることになる。
【００２１】
本発明の請求項６に係るマンゴーの栽培方法は、栽培容器に植えられたマンゴーの木が花芽分化を迎えた時期に、請求項１から３に記載の栽培容器に植え付けられたマンゴーの木をフイルムで覆い、かつ、前記フイルム内の雰囲気温度と前記栽培容器の温度とを夫々５℃から１５℃に冷却することにより花芽分化させることを特徴とする。
【００２２】
この方法によれば、フィルム内の雰囲気を小型のエアコン（ペルチェモジュールを使用したものを含む）を用いて温度調整をすることができるので、フイルム内の気温と栽培容器の温度を夫々５℃〜１５℃に冷却することにより、新梢発芽を２回行い花芽分化ができる状態にあるマンゴーの木は、葉、枝及び幹だけでなく、容器内の根からも花芽分化の時期を感じ取ることができ、より確実に花芽分化を行うことができる。このことによって、マンゴーの木は、季節に関係なく、花芽分化を行うことができ、マンゴーを結実、収穫することができることになる。また、この方法によれば、大がかりなハウス設備は特に必要なく、自由に花芽分化を行うことができるので、従来からのマンゴーの実の収穫時期である４月から７月まで以外の時期に、家庭でも手軽にマンゴーの実を収穫することが可能となる。
【００２３】
本発明の請求項７に係るマンゴーの栽培方法は、ハウス栽培において、請求項１から３に記載のマンゴーの栽培容器の温度とハウス内の雰囲気温度とを夫々２０℃から３０℃に加温することによりマンゴーの実を果実肥大させることを特徴とする。
【００２４】
この方法によれば、ハウス内の気温と、栽培容器の温度とを夫々２０℃〜３０℃に加温することにより、マンゴーの木全体、特に根も活性化することができ、効率よくマンゴーの果実肥大や樹勢回復を可能にする。
【００２５】
本発明の請求項８に係るマンゴーの栽培方法は、請求項１から３に記載の栽培容器に植え付けられたマンゴーの木をフイルムで覆い、かつ、前記フイルム内の雰囲気温度と前記栽培容器の温度とを夫々２０℃から３０℃に加温することによりマンゴーの実を果実肥大させることを特徴とする。
【００２６】
この方法によれば、フィルム内の気温と、栽培容器の温度とを夫々２０℃〜３０℃にすることにより、マンゴーの木全体、特に根も活性化することができ、効率よくマンゴーの果実肥大や樹勢回復を可能にする。また、この方法によれば、大がかりなハウス設備は特に必要なく、マンゴーの果実肥大期及び樹勢回復に役立ち、家庭でも手軽に大きなマンゴーの実を収穫することが可能となる。なお、覆うフィルムの規模は、マンゴーの木がすっぽり隠れる程度でよい。
【００２７】
本発明の請求項９に係るマンゴーの栽培方法は、栽培容器に植えられたマンゴーの木が花芽分化を迎えた時期に、請求項１から３に記載の栽培容器に植え付けられたマンゴーの木をフイルムで覆い、かつ、前記フイルム内の雰囲気温度と前記栽培容器の温度とを夫々５℃から１５℃に冷却することにより花芽分化させ、かつ、該冷却によって発生する暖排気を他のマンゴー木の果実肥大に利用することを特徴とする。
【００２８】
この方法によれば、多数栽培されたマンゴーの木をブロック毎に花芽分化の管理することも可能となる。即ち、あるブロックは冷却を行い、他のブロックはその冷却によって発生する暖排気を加温に利用することができる。つまり、栽培容器と合成樹脂フイルムで覆われた雰囲気とを、ペルチェモジュールの冷却効果と冷房装置によって夫々冷却して５℃〜１５℃として花芽分化を行い、その冷却時に発生する暖排気を、新梢発芽、伸長、充実、出蕾、開花、果実肥大期の他のブロックのマンゴーの栽培に利用することができる。このことによって、マンゴーの収穫時期をブロック毎にずらすことも可能となる。さらに、加温に掛かる暖房費を制約することも可能となる。
【発明の効果】
【００２９】
本発明に係る請求項１に記載のマンゴーの栽培装置によれば、栽培容器及び土壌の冷却又は加温が強制的に実施できるので、養分が備蓄され花芽分化できる状態にあるマンゴーの木を、季節に関係なく花芽分化をさせ、結実させることが可能となる。また、ハウス栽培のように、ハウス内の冷暖房とあまり関係なく、マンゴーの栽培を可能にする。また、従来の栽培容器のように、栽培温度に適した場所へ移動させることも必要なくなる。さらに、国内においてマンゴーがあまり出回らない季節にマンゴーを生産でき高値で販売することが可能となる。また、マンゴーの木を植え付ける前にあらかじめ加熱することにより栽培容器内の土壌中の病害虫の駆除も可能となる。
【００３０】
本発明に係る請求項２及び、３に記載のマンゴーの栽培装置によれば、ペルチェモジュールから発生する冷熱又は温熱を有効に栽培に使えると共に、消費電力を抑えることができる。
【００３１】
本発明に係る請求項４に記載のマンゴーの栽培装置によれば、加えて、マンゴーの木の根腐れを防ぐこともでき、水遣りの際の水量の管理が行い易くなる。
【００３２】
本発明に係る請求項５に記載のマンゴーの栽培方法によれば、ハウス栽培において、マンゴーの木は、季節に関係なく、任意の時期に花芽分化を行うことができ、マンゴーを結実、収穫することが可能となる。
【００３３】
本発明に係る請求項６に記載のマンゴーの栽培方法によれば、ハウス栽培でなくとも、マンゴーの木は、季節に関係なく、花芽分化を行うことができ、マンゴーを結実、収穫することが可能となる。また、家庭でも手軽にマンゴーの実を収穫することが可能となる。
【００３４】
本発明に係る請求項７に記載のマンゴーの栽培方法によれば、効率よくマンゴーの果実肥大や樹勢回復を可能にする。
【００３５】
本発明に係る請求項８に記載のマンゴーの栽培方法によれば、効率よくマンゴーの果実肥大や樹勢回復を可能にする。また、この方法を用いれば、大がかりなハウス設備は特に必要なく、家庭でも手軽に大きなマンゴーの実を収穫することが可能となる。
【００３６】
本発明に係る請求項９に記載のマンゴーの栽培方法によれば、多数栽培されたマンゴーの木をブロック毎に花芽分化と果実肥大の管理することも可能となる。また、マンゴーの収穫時期をブロック毎にずらすことも可能となる。さらに、加温に掛かる暖房費を節約することも可能となる。
【図面の簡単な説明】
【００３７】
【図１】本発明を実施するための形態に係るマンゴーの栽培容器であって、（ａ）は、マンゴーの木を植え付けたマンゴーの栽培容器の模式的斜視図、（ｂ）は、（ａ）において、マンゴーの木を植え付けたマンゴーの栽培容器の模式的Ａ―Ａ矢視断面図である。
【図２】本発明を実施するためのマンゴー栽培方法におけるフロー図である。
【図３】本発明を実施するための形態に係るマンゴーの栽培容器であって、（ａ）は、フイルムに覆われたマンゴーの木を植付けた栽培容器を埋設せずにそのまま設置している状態を示す模式的斜視図であって、（ｂ）は、フイルムに覆われたマンゴーの木を植付けた栽培容器を農圃に埋設している状態を示す模式的斜視図である。
【図４】本発明を実施するための形態に係るマンゴー栽培方法であって、マンゴーの木を植付けた栽培容器をグループ毎に分けて、冷却グループの放熱を加温グループに利用させて加温を行っている状態を示す模式的斜視図である。
【発明を実施するための形態】
【００３８】
本発明に係るマンゴーの栽培方法を実施するための形態について図１、２、３、４を用いて説明する。図１は、本発明を実施するための形態に係るマンゴーの栽培容器であって、（ａ）は、マンゴーの木を植え付けたマンゴーの栽培容器の模式的斜視図、（ｂ）は、（ａ）において、マンゴーの木を植え付けたマンゴーの栽培容器の模式的Ａ―Ａ矢視断面図である。図２は、本発明を実施するためのマンゴー栽培方法におけるフロー図である。図３は、本発明を実施するための形態に係るマンゴーの栽培容器であって、（ａ）は、フイルムに覆われたマンゴーの木を植付けた栽培容器を埋設せずにそのまま設置している状態を示す模式的斜視図であって、（ｂ）は、フイルムに覆われたマンゴーの木を植付けた栽培容器をハウスの土壌に埋設している状態を示す模式的斜視図である。図４は、本発明を実施するための形態に係るマンゴー栽培方法であって、マンゴーの木を植付けた栽培容器をグループ毎に分けて、冷却グループの放熱を加温グループに利用させて加温を行っている状態を示す模式的斜視図である。
【００３９】
図１は、本発明を実施するための形態に係るマンゴーの栽培容器であって、（ａ）は、マンゴーの木を植え付けたマンゴーの栽培容器の斜視図、（ｂ）は、（ａ）において、マンゴーの木を植え付けたマンゴーの栽培容器のＡ−Ａ矢視断面図を示している。  本発明に係るマンゴーの栽培容器１は、冷却・加温装置３と、マンゴーを植え付ける容器２とから構成されている。冷却・加温装置３は、ペルチェモジュール３−１と、温度センサ３−２と、フィン付ヒートシンク３−４と、フィンなしヒートシンク３−５と、冷却ファン３−６とを主な構成要素とする。ペルチェモジュール３−１は、Ｎ型、Ｐ型、Ｎ型半導体を直列に接続してユニット化したものであって、直流電流をＮ型半導体からＰ型半導体に流すと、その接点で吸熱（冷却）し、逆にＰ型半導体からＮ型半導体に直流電流を流すと発熱（加温）するものである。前記接点で発熱又は吸熱のエネルギを伝熱か対流により被加熱物又は被冷却物に伝えて加温又は冷却するものである。
【００４０】
マンゴーの栽培用木を冷却する場合には、マンゴーを植え付ける容器２の熱を、フィンなしヒートシンク３−５を介してペルチェモジュール３−１で吸熱し、その吸熱した熱は、ペルチェモジュール３−１に接しているフィン付ヒートシンク３−４に伝えられて、外部に放熱される。このとき、冷却ファン３−６によって、フィンによる空冷機能が高められる。また、マンゴーの栽培用木を加温する場合には、フィン付ヒートシンク３−４の熱をペルチェモジュール３−１で吸熱し、その吸熱した熱は、ペルチェモジュール３−１に接しているフィンなしヒートシンク３−５を介してマンゴーを植え付ける容器２に伝えられ、栽培容器２を加温する。これらの手段を用いて、マンゴーを植え付ける容器２を加温又は冷却することにより、その熱を容器２内の土壌２２に伝えて、土壌２２を冷却又は加温することができる。これにより容器２内に植えつけられたマンゴーの木２１の根部の温度を変えることができる。容器２の側面には、ペルチェモジュール３−１を主な構成要素とする冷却・加温装置３を密着させて、ペルチェモジュール３−１の発熱又は吸熱のエネルギを効率よく伝熱することが重要である。そのために、容器２は良熱伝導性を有する材料を用いて製作され、熱伝導の良い素材としては、銅、アルミニウム、真鍮、鉄鋼等の金属を用いるのがよく、また非金属として黒鉛を用いてもよい。また、土壌２２に熱を伝えることができれば、容器２の一部に、帯状の良熱伝導性を有する材料を用いることも可能である。また、冷却及び加温熱を栽培容器２内の土壌２２に効率よく伝えるために、容器２の外側に断熱材４を設けて、外界への放熱を抑制することも必要である。
【００４１】
冷却・加温装置３にあるペルチェモジュール３−１は、容器２の温度及び容器２内の土壌２２の温度のうち少なくとも一つを測る温度センサ３−２の信号によりペルチェモジュール３−１へ負荷する電流と極性とを制御する制御装置３−３に結線される。例えば、設定温度を８℃〜１３℃に設定すれば、容器２内の土壌２２の温度を８℃〜１３℃に保つことができる。
【００４２】
図２は、本発明を実施するためのマンゴー栽培方法におけるフロー図であって、１年間のマンゴー栽培のサイクルと気温との関係を示している。本発明に係るマンゴーの栽培装置を用いた栽培方法では、栽培容器１の温度を５℃〜１５℃に設定され、かつ、養分の蓄積が十分に行なわれ花芽分化ができる状態にあるマンゴーの木を、気温５〜１５℃のハウス３２又は図３に示されたフィルム１１内に設置して花芽分化を行い、その後、２０〜３０℃にした栽培容器１と、ハウス３２又はフィルム１１内の気温を２０〜３０℃にしてマンゴー果実を結実させるものであり、温度管理が本発明に係るマンゴーの栽培装置を用いた栽培方法において大変重要である。ここで、前述のように気温を１５℃以下にしなければ、マンゴーの木は花芽分化をすることはできないため、通常、クリスマスシーズンには、輸入品のマンゴー以外は出まわっていない。そこで、クリスマスシーズンにマンゴーを収穫することができれば、収穫されたマンゴーに付加価値をつけることが可能となる。そこで、本発明に係るマンゴー栽培方法の一例として、ハウス栽培におけるクリスマスシーズンにマンゴーを収穫する方法を、図２を用いて説明する。
【００４３】
ハウス３２又はフィルム１１内の気温とマンゴーを栽培している栽培容器１の温度を２０〜３０℃にして、２月頃に枝を１〜２伸長分剪定し施肥を行う。２月〜４月にかけて、ハウス３２又はフィルム１１内の気温と該栽培容器１の温度を２０〜３０℃にしたまま散水量を多くして新梢を発生、伸長、充実させることを２回行って、養分の蓄積が十分にして、花芽分化ができる状態にする。その後、５月から７月にかけて、ハウス３２又はフィルム１１内の気温と該栽培容器１の温度を５〜１５℃にして、強制的に花芽分化を起こさせる。花芽分化が起こった後、再び、ハウス３２又はフィルム１１内の気温と該栽培容器１の温度を２０〜３０℃に戻す。マンゴーは、３５℃以上の高温では花粉の発芽が阻害されるため、８月頃に出蕾期及び９月頃の開花期のハウス３２又はフィルム１１内の気温と該栽培容器１の温度を２５〜３０℃に調整する必要があるが、この時期は、通常、気温が高いため、加温の必要はなく電気代を節約できる。さらに、１０月から１２月頃の果実肥大期もハウス３２又はフィルム１１内の気温と該栽培容器１の温度を２５〜３０℃に維持し、また、散水量を多めにして施肥を多くする。その後、１２月から１月にかけてのクリスマスシーズン及び年末年始の時期にマンゴーが収穫され、国内産のマンゴーが出回らない時期に、高価格で販売することが可能になる。なお、栽培容器１は、加温をすることができるので、土壌を加温し、栽培容器１内の土壌２２の温度を２０〜３０℃にすることよって、気温のみを２０〜３０℃に温める場合よりマンゴーの木２の成長が早くすることができ、また、マンゴーの果実肥大が促進することもでき、さらに果皮色もよくすることができる。
【００４４】
図３は、本発明を実施するための形態に係るマンゴーの栽培容器であって、（ａ）は、フイルムに覆われたマンゴーの木を植付けた栽培容器を埋設せずにそのまま設置している状態を示す模式的斜視図であって、（ｂ）は、フイルムに覆われたマンゴーの木を植付けた栽培容器をハウスの土壌に埋設している状態を示す模式的斜視図であり、マンゴーの木２１を植付けた状態の栽培容器１を、支柱１２に支えられたフィルム１１で覆って栽培している。この装置には、エアコン１３が設置されており、フィルム内の気温を５℃〜３０℃まで設定することができる。この装置を用いて、栽培容器１の温度とともに、フィルム内の気温を５℃〜１５にすれば、花芽分化ができる状態にあるマンゴーの木２１を強制的に花芽分化させることができる。また、栽培容器１の温度とフィルム内の気温２０〜３０℃にすれば、マンゴーの果実肥大や樹勢回復を、効率よく行うことができる。なお、覆うフィルムの規模は、マンゴーの木がすっぽりと隠れる程度でよい。この装置は、非常にコンパクトであり、大がかりな栽培用ハウスを建設する必要がないので、家庭でも手軽に用いることができ、自分の好みの時期に収穫することが可能となる。なお、フィルム内の雰囲気の冷暖房はエアコン１３を使用する代わりに小型のペルチェモジュールを主な構成要素とした冷却・加温装置を使用してもよい。
【００４５】
図４は、本発明を実施するための形態に係るマンゴー栽培方法であって、マンゴーの木を植付けた栽培容器をグループに分けて、冷却グループの放熱を加温グループに利用させて加温を行っている状態を示す模式的斜視図である。マンゴーの木２１を同時に花芽分化させることもできるが、マンゴーの木２１をいくつかのブロックに分けて、ブロック毎に花芽分化を起こさせたほうが、花芽分化のために冷却した暖排気を、他のブロックで果実肥大を行っているマンゴーの木２１の暖房に利用することができ、暖房に掛かる費用を安く抑えることが可能となる。また、ブロック毎に花芽分化をさせることによって、開花の時期をずらし、その後の収穫の時期をずらすことが可能となり、クリスマスシーズンから、年明けにかけ収穫及び出荷することも可能となる。
【００４６】
また、本願発明に係る栽培容器１は、マンゴの木２１の根の根域を制限するためにも用いられる。マンゴーの木は、通常、大木になり放置しておくと、ハウス栽培において、ハウス３２の屋根を突き破って壊してしまう。マンゴーの木２１の根は、１０ｍ以上伸びることがあるが、栽培容器１があるために、マンゴーの木２１の根は、栽培容器１の外に出ることができず、それ以上長く伸びない。よって、マンゴーの木２１の成長は抑制され、大木にならずにハウス３２を破壊することを防ぐことができる。
【００４７】
また、万が一、マンゴーの木２が枯れてしまった場合においても、マンゴの木２１の根が栽培容器１によって深く伸びることが妨げられていることより簡単に掘り出すことができ、マンゴーの木２１の入替も容易となる。また、農圃の土壌３１に直植えする場合に比べて、栽培容器１を農圃の土壌３１に埋設してマンゴーの木を栽培する場合は、農圃の土壌３１がマンゴーの木２１の栽培に適さない場合でも、栽培容器１内の土壌２２のみを良質な土壌にすればよく、土壌改良の土量を最小限に抑えることができる。さらに、ハウス３２内の栽培において、栽培容器１を農圃の土壌３１に埋設してマンゴーの木２１を栽培する場合は、埋設しない場合に比べ、栽培容器１の高さだけ地盤高を低くできそのため、同じハウスの屋根に対して、マンゴーの木２１を高くできるので、その分マンゴーの木２１の幹が太くすることができ、丈夫なマンゴーの木を育てることができる。
【００４８】
また、栽培容器１の側部又は底部の少なくともどちらか一方に透水性を有する透水孔５を設けている。これにより、灌水で余剰した水分を速やかに栽培容器１の外部に排出することができ、マンゴーの木２１の根腐れを防ぐことができる。なお、栽培容器１の透水孔５の内側には、透水性を有する透水性防根シートを貼付しておけば、透水孔５から余剰水は排出できるが、マンゴーの木２１の根が出ないようになる。さらに、栽培容器１内の土壌２２に存在する水分や養分だけでなく、農圃の土壌３１中の水分や養分が、透水性防根シートを透過して栽培容器１内の土壌１１中に入ってくることができるため、マンゴーの木２１は、農圃の土壌３１に埋設しないポット栽培より成長が早くなる。また、水遣りの際、栽培容器１内の土壌２２だけに水遣りを行なえばよく、マンゴーの木２１の根の張っていない栽培容器１外に水遣りをする必要がなく大変効率がよい。さらに、水遣り量に対する水分の無駄が少なく、水遣りの際の水量管理が行い易くなる。
【００４９】
また、本願発明に係る栽培容器１は、加温ができるので、マンゴーの木２１を植え付ける前に、栽培容器内の土壌を加温して、病害虫を駆除することもできる。
【産業上の利用可能性】
【００５０】
マンゴーだけでなく、低温及び高温への温度変化により花芽分化が誘因される栽培植物に利用することができる。
【符号の説明】
【００５１】
１：栽培容器                  ２：容器            
３：冷却・加温装置        
３−１：ペルチェモジュール    ３−２：温度センサ    ３−３：制御装置
３−４：フィン付ヒートシンク  ３−５：フィンなしヒートシンク
３−６：冷却ファン      
４：断熱材                    ５：透水孔
１１：フィルム                １２：支柱            １３：エアコン
２１：マンゴーの木            ２２：栽培容器内の土壌
３１：農圃の土壌              ３２：ハウス
【図１】
2011244784.tif 000003
【図２】
2011244784.tif 000004
【図３】
2011244784.tif 000005
【図４】
2011244784.tif 000006